(57)【要約】      （修正有）【課題】音源から採取された音を２以上の複数に分配することを可能にして、これらの聴者の各々が音源音を同時に聴き取ることができる、分岐数の拡張性を備えた共聴用聴診器を提供する。【課題手段】共聴用聴診器は、音源から音を採取するための聴診器ヘッド１と、聴診器ヘッド１に固定された聴診器ヘッド１の出力口１Ａと、聴診器ヘッド１の出力口１Ａを接続導管２Ａに接続する接続導管接続口と、接続導管２Ａからの伝達音を分岐する分岐部２０（分岐手段）と、分岐部２０で分岐された伝達音の各々を伝達する接続導管２Ｂと、接続導管２Ｂからの伝達音を聴者の左右の耳にそれぞれ導く耳管４と、耳管４の先端に取り付けられて聴者の左右の耳に装着されるイヤーチップ５より構成され、音源から採取された音を２名以上の聴者が同時に聴き取ることを可能とする。【選択図】図１
0003135200.tif 000002
【実用新案登録請求の範囲】
【請求項１】
ダイヤフラムが採取した音源音を複数の人が同時に聴取可能とする聴診器であって、
前記ダイヤフラムを備える聴診器ヘッドの出力口に接続され、前記ダイヤフラムが採取した前記音源音を伝達する接続導管と、
前記接続導管と着脱可能に構成され、前記接続導管から伝達された音を複数に分岐する分岐手段と、
前記分岐手段を構成する各分岐管の分岐口に接続され、前記複数に分岐された前記音源音を聴取するための複数の耳管と、
前記耳管に着脱可能に接続されたイヤーチップと、
から構成されたことを特徴とする共聴用聴診器。
【請求項２】
前記分岐手段は、１又は複数の分岐管と、各分岐管を接続する接続導管と、により形成されたことを特徴とする請求項１に記載の共聴用聴診器。
【請求項３】
前記分岐管は、Ｙ字状の２分岐管又は十字状の３分岐管であることを特徴とする請求項１又は２に記載の共聴用聴診器。
【請求項４】
前記分岐管の各分岐口の外周部分には、前記接続導管が抜けるのを防止するための凹凸が設けられていることを特徴とする請求項１に記載の共聴用聴診器。
【請求項５】
前記接続導管の前記分岐管と接続する端部内側又は外側にスプリングが設けられていることを特徴とする請求項１に記載の共聴用聴診器。
【請求項６】
前記接続導管は、中空の管であり、ゴム又は弾力性を有する合成樹脂により形成されていることを特徴とする請求項１乃至５の何れかの項に記載の共聴用聴診器。
【請求項７】
前記分岐管は、各分岐口を接続する中空部が設けられており、金属又は硬質合成樹脂により形成されていることを特徴とする請求項１乃至６の何れかの項に記載の共聴用聴診器。
【請求項８】
前記聴診器ヘッドにおける前記ダイヤフラムの裏面側には秒針を有する時計が組み込まれていることを特徴とする請求項１に記載の共聴用聴診器。
【請求項９】
前記時計の針は無音で動作することを特徴とする請求項８に記載の共聴用聴診器。
【請求項１０】
前記時計の文字盤は、秒針が運行する外周部の面において、複数の計測区間毎に識別可能に形成されていることを特徴とする請求項８に記載の共聴用聴診器。
【請求項１１】
前記複数の計測区間は、１０秒毎の区間又は１５秒毎の区間であることを特徴とする請求項１０に記載の共聴用聴診器。
【請求項１２】
前記時計の文字盤における各計測区間は、色分け又は模様分けにより識別可能に形成されていることを特徴とする請求項１０又は１１に記載の共聴用聴診器。
【考案の詳細な説明】
【技術分野】
【０００１】
本考案は、共聴用聴診器に関し、特に、音源から採取された音を２名以上の聴者に分配し、この音源音を聴者の各々が同時に聴き取ることができるように構成された共聴用聴診器に関する。
【背景技術】
【０００２】
従来、共聴用聴診器は、主に教練用として、患者の心拍音を例えば指導看護師と見習い看護師との双方で同時に聴き取り指導する等の用途に使用されていた。そのため従来の共聴用聴診器は、音源から採取された音を２名の聴者に分配するに留まり、しかも、音源から採取された音を２名の聴者に分配するための分岐管は、聴診器ヘッドの出力口と着脱不可能な構造（即ち一体構造）として構成されていた。
【考案の開示】
【考案が解決しようとする課題】
【０００３】
しかしながら、上記従来の共聴用聴診器は、前述の通り、音源から採取された音を２名の聴者に分配するための分岐管が、聴診器ヘッドの出力口と一体構造であるため、音源から採取された音を同時に聴き取ることができる聴者人数は２名に限定されており、それ以外の者は同じ音源音を同時聴取できないという制約を有していた。
【０００４】
また、従来の共聴用聴診器は、心拍数等を計測する際の計測時間の把握方法については何等考慮されておらず、心拍数等の計測に不便であった。
【０００５】
本考案は、上記従来の問題点に鑑みて、音源から採取された音を２以上の複数に分配することを可能にして、これらの聴者の各々が音源音を同時に聴き取ることができる、分岐数の拡張性を備えた共聴用聴診器を提供することを目的とする。
【０００６】
また、本考案は、心拍数等を計測する際の計測時間を短縮し、またその短縮された計測時間を測定者が容易に把握できるようにした共聴用聴診器を提供することを目的とする。
【課題を解決するための手段】
【０００７】
本考案は、上記課題を解決するために、ダイヤフラムが採取した音源音を複数の人が同時に聴取可能とする聴診器であって、前記ダイヤフラムを備える聴診器ヘッドの出力口に接続され、前記ダイヤフラムが採取した前記音源音を伝達する接続導管と、前記接続導管と着脱可能に構成され、前記接続導管から伝達された音を複数に分岐する分岐手段と、前記分岐手段を構成する各分岐管の分岐口に接続され、前記複数に分岐された前記音源音を聴取するための複数の耳管と、前記耳管に着脱可能に接続されたイヤーチップと、から構成されたことを特徴とする共聴用聴診器を提供する。
【０００８】
このように構成することにより、音源から採取された音を２名以上の聴者に分配し、この音源音を聴者の各々が同時に聴き取ることが可能となる。
【０００９】
また、上記共聴用聴診器において、記分岐手段は、１又は複数の分岐管と、各分岐管を接続する接続導管と、により形成されるようにする。
【００１０】
さらに、上記共聴用聴診器において、前記分岐管は、Ｙ字状の２分岐管又は十字状の３分岐管であるようにする。
【００１１】
このように構成することにより、分岐数の拡張性を備え、音源音の伝達経路を２以上の任意の数とすることが可能となる。
【００１２】
また、上記共聴用聴診器において、前記分岐管の各分岐口の外周部分には、前記接続導管が抜けるのを防止するための凹凸が設けられるようにする。
このように構成することにより、分岐管と接続導管とを確実に接続し、音源音を伝達させることができる。
【００１３】
また、上記共聴用聴診器において、前記接続導管の前記分岐管と接続する端部内側又は外側にスプリングが設けられるようにする。
このように構成することにより、接続導管の分岐管との接続部を補強することができる。
【００１４】
また、上記共聴用聴診器において、前記接続導管は、中空の管であり、ゴム又は弾力性を有する合成樹脂により形成されるようにする。
【００１５】
さらに、上記共聴用聴診器において、前記分岐管は、各分岐口を接続する中空部が設けられており、金属又は硬質合成樹脂により形成されるようにする。
【００１６】
このように構成することにより、分岐部の構造を強固にする一方で聴診器ヘッドからイヤーチップに至るまでの音源音の伝達経路に柔軟性を付与し、自由度を持たせることができる。
【００１７】
また、上記共聴用聴診器において、前記聴診器ヘッドにおける前記ダイヤフラムの裏面側には秒針を有する時計が組み込まれているようにする。
このように構成することにより、計測時間の把握を容易にすることができる。
【００１８】
また、上記共聴用聴診器において、前記時計の針は無音で動作するようにする。
このように構成することにより、音源から採取した音だけをイヤーチップに伝達することができる。
【００１９】
また、上記共聴用聴診器において、前記時計の文字盤は、秒針が運行する外周部の面において、複数の計測区間毎に識別可能に形成されているようにする。
【００２０】
また、上記共聴用聴診器において、前記複数の計測区間は、１０秒毎の区間又は１５秒毎の区間であるようにする。
【００２１】
さらに、上記共聴用聴診器において、前記時計の文字盤における各計測区間は、色分け又は模様分けにより識別可能に形成されるようにする。
【００２２】
このように構成することにより、心拍数等を計測する際の計測時間を短縮し、その計測時間の経過を視認により容易に把握することが可能となる。
【考案の効果】
【００２３】
本考案によれば、音源から採取された音を２名以上の聴者に分配し、この音源音を聴者の各々が同時に聴き取ることが可能となる。
【考案を実施するための最良の形態】
【００２４】
以下、本考案の実施の形態について、図面を参照しながら詳細に説明する。
〔第１の実施形態〕
この実施の形態では、音源から採取された音を２名以上の聴者に分配して、音源音をこの３名以上の聴者の各々が同時に聴き取ることができる、分岐数の拡張性を備えた共聴用聴診器について説明する。
【００２５】
図１は、本考案の第１の実施形態に係る共聴用聴診器の全体構成を示す図である。
この図に示すように、本実施形態の共聴用聴診器は、音源から音を採取するための聴診器ヘッド１と、聴診器ヘッド１に固定された聴診器ヘッド１の出力口１Ａと、聴診器ヘッド１の出力口１Ａを接続導管２Ａに接続する接続導管接続口３Ａと、接続導管２Ａからの伝達音を分岐する分岐部２０（分岐手段）と、分岐部２０で分岐された伝達音の各々を伝達する接続導管２Ｂと、接続導管２Ｂからの伝達音を聴者の左右の耳にそれぞれ導く耳管４と、耳管４の先端に取り付けられて聴者の左右の耳に装着されるイヤーチップ５より構成される。
【００２６】
分岐部２０は、分岐管２１（図１では分岐管２１Ａ，２１Ｂ，２１Ｃだけを示している）と、接続導管２２（図１では接続導管２２Ａ，２２Ｂだけを示している）とを組み立てて構成される。分岐管２１にはそれぞれ接続導管接続口３Ｂ（音入力側），３Ｃ（音出力側）が設けられている。
【００２７】
例えば、図１に示すように、分岐数が４の場合は、２分岐用の分岐管２１Ａ，２１Ｂ，２１Ｃで２段の分岐を構成し、当該各段間を接続導管２２Ａ，２２Ｂとで接続する。
【００２８】
なお、ここでは２段４分岐の構成例を示したが、分岐管２１を配置する段数は任意に決定して良い。分岐管２１の分岐数が図１に示すように２の場合、この分岐管２１を配置する段数をｎとすると、最終的な分岐数は２のｎ乗となる。
【００２９】
また、ここでは１つの分岐管２１の分岐数を２としたが、その分岐数も任意であり、この分岐数をｍ、分岐管２１を配置する段数をｎとすると、最終的な分岐数はｍのｎ乗となる。
【００３０】
これら分岐管２１の出力側の接続導管接続口３Ｃには、それぞれ接続導管２２もしくはイヤーチップ５に至る接続導管２Ｂを接続することが可能であり、これにより聴診器ヘッド１が採取した音源音をそれぞれのイヤーチップ５に伝達することができる。
【００３１】
図２は、本考案の第１の実施形態に係る共聴用聴診器の聴診器ヘッドの構成を示す図である。
図２に示すように、聴診器ヘッド１は、出力口１Ａの端部を挿んで対向する主ヘッド部１１と、副ヘッド部１２とを備える。
【００３２】
主ヘッド部１１には、振動板（シート）となる１枚の主ダイヤフラム１１１が張設されている。この主ダイヤフラム１１１は、従来の聴診器のダイヤフラムと同程度の径を有し、主として大きなサイズの聴音対象（大人の胸部や、戸外の樹木等）に当てるために用いられる。
【００３３】
また、副ヘッド部１２には、振動板（シート）となる１枚の副ダイヤフラム１２１が張設されている。この副ダイヤフラム１２１は、従来の聴診器のダイヤフラムよりも小さい径を有し、主として小さなサイズの聴音対象（子供の胸部や、小動物等）に当てるために用いられる。
【００３４】
聴診器ヘッド１の主ヘッド部１１及び副ヘッド部１２は、いずれも透明又は半透明のアクリル樹脂やガラス等の素材により形成されている。また、主ダイヤフラム１１１及び副ダイヤフラム１２１は、いずれも透明又は半透明のエポキシ樹脂又はナイロンを素材として形成されている。
【００３５】
聴音対象が発する音（人や動物の心拍音や、樹木が水を吸い上げる音等）は、主ダイヤフラム１１１又は副ダイヤフラム１２１に伝わり、さらに、聴診器ヘッド１の出力口１Ａ、接続導管接続口３Ａ、接続導管２Ａ、分岐部２０（図１では分岐管２１Ａ、接続導管２２Ｂ、分岐管２１Ｂ）、接続導管２Ｂ、耳管４、イヤーチップ５の順で伝達され、イヤーチップ５を挿入した聴者全員の耳にまで達する。
【００３６】
接続導管接続口３Ａは、聴診器ヘッド１の出力口１Ａと一体構造であり、その外周面には接続導管２Ａが脱落することを防ぐための複数の凹凸部が設けられている。
【００３７】
図３は、本考案の第１の実施形態に係る聴診器ヘッドの分岐部の部品の構成例を示す外観図であり、図３（ａ）は接続導管、図３（ｂ）はＹ字状の２分岐の分岐管、図３（ｃ）は十字状の３分岐の分岐管を示している。
【００３８】
まず、図３（ａ）に示すように、接続導管２２は柔軟性、弾力性を有する中空の管であり、ゴムや合成樹脂を素材として構成されている。
【００３９】
次に、図３（ｂ）に示すように、Ｙ字状分岐管２１Ｘには、音入力側に接続導管接続口３１Ａ、音出力側に接続導管接続口３１Ｂ，３１Ｃが設けられている。このＹ字状分岐管２１Ｘは、金属や硬質合成樹脂から構成されるのが好ましい。
【００４０】
さらに、図３（ｃ）に示すように、十字状分岐管２１Ｙには、音入力側に接続導管接続口３１Ｄ、音出力側に接続導管接続口３１Ｅ，３１Ｆ，３１Ｇが設けられている。この十字状分岐管２１Ｙも、Ｙ字状分岐管２１Ｘと同様に金属や硬質合成樹脂から構成されるのが好ましい。
【００４１】
図４は、本考案の第１の実施形態に係る共聴用聴診器の他の構成例を示す図である。
この図において、１００は聴診器ヘッド、１００Ａは聴診器ヘッド１００の出力口、２００は接続導管２０１と十字状分岐管２１０より構成される分岐部、２０１Ａ，２０１Ｂ，２０１Ｃは十字状分岐管２０１の音出力側に接続される接続導管、４０Ａ，４０Ｂ，４０Ｃは接続導管２０１Ａ，２０１Ｂ，２０１Ｃにそれぞれ接続される耳管、５０Ａ，５０Ｂ，５０Ｃは耳管４０Ａ，４０Ｂ，４０Ｃの先端にそれぞれ設けられるイヤーチップを示している。
【００４２】
このように、分岐部２００に十字状分岐管２１０を用いることにより、単純な構造でありながら３の分岐数が得られる共聴用聴診器を構成することができる。
【００４３】
なお、本実施形態に係る分岐管の構成は、上記の例に限定されるものではない。
【００４４】
次に、本実施形態に係る分岐部の分岐管と接続導管の接続構成について説明する。
【００４５】
図５は、本考案の第１の実施形態に係る共聴用聴診器の分岐管と接続導管の接続構成を示す断面模式図である。
ここでは、十字状分岐管を例として説明する。
この図に示すように、十字状分岐管３００の各分岐の先端に設けられた接続導管接続口３０１Ａ（音入力側），３０１Ｂ（音出力側）は、その外径が十字状分岐管３００より小さく、さらに接続導管３０３の脱落を防ぐための凹凸が形成されている。
【００４６】
しかしながら、この接続構成の場合、接続導管接続口３０１Ａ，３０１Ｂに接続した接続導管３０３の端部付近に負荷がかかり、ねじれや折れ曲がり等のキンクが発生しやすくなる。
【００４７】
そこで、キンク防止のために接続導管端部内側にスプリングを設ける例について、図６を用いて説明する。
図６は、本考案の第１の実施形態に係る共聴用聴診器の分岐管と接続導管の他の接続構成を示す断面模式図である。
【００４８】
ここでは、分岐管４００と接続導管４０３の接続部のみを図示している。
【００４９】
この図に示すように、接続導管４０３の端部内側にはコイルスプリング４０２を設ける。これにより接続導管４０３の端部を補強し、接続導管４０３のキンクを防ぐことができる。
【００５０】
なお、ここではコイルスプリング４０２を接続導管４０３の端部内側に配置するようにしたが、コイルスプリング４０２を接続導管４０３の端部外側に配置するようにしても良い。
【００５１】
〔第２の実施形態〕
本考案の第２の実施形態に係る共聴用聴診器の全体構成は、第１の実施形態の全体構成（図１及び図４）と以下の内容を除いて同様である。
【００５２】
図７は、本考案の第２の実施形態に係る共聴用聴診器の聴診器ヘッドの構成を示す図である。
この図に示すように、本実施形態では、副ヘッド部１２に副ダイヤフラム１２１（図２）に代わって時計５００が組み込まれている。なお、この時計５００は、聴診器ヘッド１で採取した音を聴く妨げにならないよう、時計針が音を立てず滑らかに動く連続秒針を備えた時計や電子表示式時計である必要がある。この時計５００の文字盤は液晶表示画面としても良いし、また夜間や暗所でも視認できるようバックライト付きとしても良い。
【００５３】
図８は、副ヘッド部に組み込まれた時計の一構成例を示す図である。
この図に示すように、時計６００は文字盤６０１及び短針６０３、長針６０５、秒針６０７を備え、現在時刻が分かるようになっている。さらに、この文字盤６０１の外周には所定の時間間隔（計測区間）を示す表示が施された計時部６０９が配置されている。図８では、この計時部６０９の計測区間が１０秒の例を示している。この図から分かるように、計測区間はそれぞれ１０秒毎に色が塗り分けられ、識別できるようになっている。
【００５４】
このように構成することで、聴音対象が例えば人の心拍数である場合、計測区間における心拍数だけを測定し、この測定結果（ｑ）を６倍することにより、１分間における心拍数を推定することができる（６×ｑ〔回〕）。例えば、計測区間における心拍数が８であった場合、１分間における心拍数は、８×６＝４８〔回〕となる。
【００５５】
図９は、副ヘッド部に組み込まれた時計の他の構成例を示す図である。
この図でも、図８と同様に、時計７００の文字盤７０１の外周には所定の時間間隔（計測区間）を示す表示が施された計時部７０３が配置されている。ただし、図９では、この計時部７０３では１５秒の計測区間と５秒の区間が交互に配置されている。
【００５６】
この場合、聴音対象が例えば人の心拍数である場合、１５秒の計測区間における心拍数だけを測定し、この測定結果（ｒ）を４倍することにより、１分間における心拍数を推定することができる（４×ｒ〔回〕）。例えば、この１５秒の計測区間における心拍数が１２であった場合、１分間における心拍数は、１２×４＝４８〔回〕となる。
【００５７】
なお、本実施形態に係る時計の計時部は、上記の各構成例に限定されるものではなく、例えば、２０秒間の計測区間を３区分配置する等、適宜変形することができる。
【００５８】
また、本実施形態に係る計測区間の識別は、色の塗り分けにより行ったが、模様の有無や模様の柄分け等によって行っても良い。
【００５９】
以上、本考案の実施形態について説明したが、本考案は上記実施形態に限定されるものではなく、本考案の趣旨に基づき種々の変形が可能であり、これらを本考案の範囲から排除するものではない。
【図面の簡単な説明】
【００６０】
【図１】本考案の第１の実施形態に係る共聴用聴診器の全体構成を示す図である。
【図２】本考案の第１の実施形態に係る共聴用聴診器の聴診器ヘッドの構成を示す図である。
【図３】本考案の第１の実施形態に係る聴診器ヘッドの分岐部の部品の構成例を示す外観図であり、図３（ａ）は接続導管、図３（ｂ）はＹ字状の２分岐の分岐管、図３（ｃ）は十字状の３分岐の分岐管を示している。
【図４】本考案の第１の実施形態に係る共聴用聴診器の他の構成例を示す図である。
【図５】本考案の第１の実施形態に係る共聴用聴診器の分岐管と接続導管の接続構成を示す断面模式図である。
【図６】本考案の第１の実施形態に係る共聴用聴診器の分岐管と接続導管の他の接続構成を示す断面模式図である。
【図７】本考案の第２の実施形態に係る共聴用聴診器の聴診器ヘッドの構成を示す図である。
【図８】副ヘッド部に組み込まれた時計の一構成例を示す図である。
【図９】副ヘッド部に組み込まれた時計の他の構成例を示す図である。
【符号の説明】
【００６１】
１、１００  聴診器ヘッド１
１Ａ、１００Ａ  出力口
２Ａ、２Ｂ、２２、２２Ａ、２２Ｂ、２０１、２０１Ａ、２０１Ｂ、２０１Ｃ、３０３、４０３  接続導管
３Ａ、４０１  接続導管接続口
３Ｂ、３１Ａ、３１Ｄ、３０１Ａ  接続導管接続口（音入力側）
３Ｃ、３１Ｂ、３１Ｃ、３１Ｅ、３１Ｆ、３１Ｇ、３０１Ｂ  接続導管接続口（音出力側）
４、４０Ａ、４０Ｂ、４０Ｃ  耳管
５、５０Ａ、５０Ｂ、５０Ｃ  イヤーチップ
１１  主ヘッド部
１２  副ヘッド部
２０、２００  分岐部
２１、２１Ａ、２１Ｂ、２１Ｃ、４００  分岐管
２１Ｘ  Ｙ字状分岐管
２１Ｙ、２１０、３００  十字状分岐管
１１１  主ダイヤフラム
１２１  副ダイヤフラム
４０２  コイルスプリング
５００、６００、７００  時計
６０１、７０１  文字盤
６０３  短針
６０５  長針
６０７  秒針
６０９、７０３  計時部
【図１】
0003135200.tif 000003
【図２】
0003135200.tif 000004
【図３】
0003135200.tif 000005
【図４】
0003135200.tif 000006
【図５】
0003135200.tif 000007
【図６】
0003135200.tif 000008
【図７】
0003135200.tif 000009
【図８】
0003135200.tif 000010
【図９】
0003135200.tif 000011